(57)【要約】【課題】大型化を抑制しクランパ及びピンの両方によるフィルムの把持を可能とするフィルム保持具及びこれを備えたテンタ装置並びに溶液製膜方法を提供する。【解決手段】フィルム保持具５は、クリップ３１、ピンユニット３２を備える。クリップ３１は、ポリマーフィルム４の把持位置と把持開放位置との間で回転するクランパ３５を備える。ピンユニット３２は、複数のピン４１が立設されたピン板４２、ピン板４２が取り付けられる移動フレーム４３を備える。移動フレーム４３は、ピン４１が湿潤フィルム３を貫通する貫通位置と湿潤フィルム３から抜け出る退避位置との間で昇降自在に設けられている。移動フレーム４３はコイルバネにより退避位置に向けて付勢されている。レール１１，１２には、フィルム把持開始位置で移動フレーム４３をコイルバネの付勢に抗して貫通位置に上昇させるフレーム上昇部が形成されている。【選択図】図２
2016093923.tif 000002
【特許請求の範囲】
【請求項１】
フィルムの搬送路に沿って配されるレールに移動自在に取り付けられ、前記フィルムの両側縁部を保持するフィルム保持具であって、
前記レールに移動自在に取り付けられる保持ブラケットと、
前記保持ブラケットに固定されるベース、前記ベースとにより前記フィルムを把持する把持位置及び前記フィルムを開放する開放位置の間で変位するクランパを有するクリップと、
前記クランパに対してフィルム中央側に配され、前記フィルムを貫通可能な複数のピン、前記ピンが取り付けられ、前記ピンが前記フィルムを貫通する貫通位置及び前記ピンが前記フィルムから抜け出る退避位置の間で前記ピンの突出方向に移動自在であり、前記貫通位置の前記ピンの先端が前記クリップで把持される前記フィルムよりも下方に位置する移動フレームを有し、前記ベースに取り付けられるピンユニットと、
を備えることを特徴とするフィルム保持具。
【請求項２】
前記移動フレームを前記退避位置に付勢するバネと、
前記バネの付勢に抗して前記移動フレームが前記貫通位置にある状態で前記ピン先端よりも基端側の下方に先端が位置し、前記移動フレームが前記退避位置にある状態で前記ピン先端よりも上方に先端が位置して前記フィルムを受け、前記ピンを前記フィルムから抜き出す離脱部と、
を備えることを特徴とする請求項１記載のフィルム保持具。
【請求項３】
前記離脱部は、前記ピンよりもフィルム中央側に配されていることを特徴とする請求項２記載のフィルム保持具。
【請求項４】
請求項１ないし３いずれか１項記載のフィルム保持具と、
前記レールと、
前記フィルムの両側縁部を前記クリップ及び前記ピンユニットの一方に位置決めするために前記レールをフィルム幅方向に移動するレール移動部と、
前記レール移動部により前記フィルムの両側縁部を把持する位置に前記クリップ及び前記ピンユニットの一方がセットされた状態で、前記フィルムの把持を開始するフィルム把持開始位置で前記フィルムを把持し、前記フィルムの把持を開放するフィルム把持開放位置で前記フィルムの把持を開放する把持制御部と、
を備えることを特徴とするテンタ装置。
【請求項５】
前記把持制御部は、
前記フィルム保持具が前記フィルム把持開始位置にある状態で前記クランパを前記把持位置に変位させるクランパクローザと、
前記フィルム保持具が前記フィルム把持開放位置にある状態で前記クランパを前記開放位置に変位させるクランパオープナと、
を有することを特徴とする請求項４記載のテンタ装置。
【請求項６】
前記把持制御部は、
前記フィルム保持具が前記フィルム把持開始位置にある状態で前記移動フレームに接触して前記貫通位置に上昇させるフレーム上昇部と、
前記レールに沿って前記フィルム把持開始位置から前記フィルム把持開放位置まで設けられ、前記移動フレームが前記貫通位置にある状態を維持する上昇維持部と、
前記フィルム保持具が前記フィルム把持開放位置にある状態で前記移動フレームを前記退避位置に下降させるフレーム下降部と、を有することを特徴とする請求項４または５記載のテンタ装置。
【請求項７】
前記フィルム把持開始位置で前記フィルムの上面を押えて前記ピンを前記フィルムに貫通させるピン噛込みブラシを有することを特徴とする請求項４ないし６いずれか１項記載のテンタ装置。
【請求項８】
ポリマー及び溶媒を含むドープを支持体に向けて流出して、前記ドープからなる膜を前記支持体に形成する膜形成工程と、
前記支持体上の前記膜を冷却固化する冷却固化工程と、
前記支持体から前記膜を剥ぎ取って前記フィルムとする剥取工程と、
請求項４ないし７いずれか１項記載のテンタ装置により前記フィルムを搬送して乾燥する乾燥工程と、
を備えることを特徴とする溶液製膜方法。
【発明の詳細な説明】
【技術分野】
【０００１】
本発明は、フィルムを保持するフィルム保持具及びこれを備えたテンタ装置並びに溶液製膜方法に関するものである。
【背景技術】
【０００２】
近年、液晶ディスプレイ等の急速な発展、普及により、これら液晶ディスプレイの保護フィルム等に用いられるポリマーフィルム、特にセルロースアシレートフィルムの需要が増大している。
【０００３】
フィルムの主な製造方法としては、溶液製膜方法がある。この溶液製膜方法は、ポリマーと溶媒とを含むポリマー溶液（以下、ドープと称する）を流し、支持体上に流延膜を形成する。次に、流延膜が自己支持性を有し搬送可能になった後、これを支持体から剥がして湿潤フィルムとし、乾燥室へ送る。乾燥室では、湿潤フィルムを搬送しながら溶媒を蒸発させてフィルムとする。このような溶液製膜方法では、溶融押出による製膜方法に比べて、異物が無く光学特性に優れたフィルムが得られる。
【０００４】
フィルムの光学特性、特にレタデーションを調節する方法として、テンタ装置を用いて延伸することが行われている。このフィルムの延伸には、フィルムの両縁を把持するクランパを有するクリップを、フィルムの幅方向に広がるように傾斜する一対のレールに沿って移動させることにより、フィルムを幅方向に延伸している。
【０００５】
ところで、溶液製膜方法は、流延膜を搬送可能な状態にする方法として、乾燥方式と冷却ゲル化方式とがある。乾燥方式は、流延膜の残留溶媒量を所定の範囲になるまで、支持体上の流延膜から溶媒を蒸発させる。一方、冷却ゲル化方式では、流延膜に含まれる溶媒の流動性を低下させるために、支持体上の流延膜を冷却する。
【０００６】
フィルムの生産効率を向上させるためには、支持体の移動速度の向上や、流延膜の形成から流延膜の剥ぎ取りまでに要する時間を短くすることが必要となる。冷却ゲル化方式は、乾燥方式に比べ、流延膜を搬送可能な状態にするために要する時間が短い。このため、フィルムを大量生産する方法として、冷却ゲル化方式が採用されることがある。
【０００７】
この冷却ゲル化方式において、冷却により自己支持性を有し搬送可能な状態となった流延膜には、乾燥方式に比べて多量の溶媒が含まれている。このため、多量の溶媒を含む状態の湿潤フィルムは、クランパにより把持すると噛みちぎれが発生する。特許文献１記載の溶液製膜法によるフィルム製造装置では、ピンとクランパとが一体化したクリップを用い、装置内に搬送されてきたばかりの多量の溶媒を含有した湿潤フィルムは、両側縁をピンで貫通して把持し、装置内を搬送されて乾燥され、溶媒量が少なくなってきた湿潤フィルムの両側縁をクランパで把持している。
【先行技術文献】
【特許文献】
【０００８】
【特許文献１】特許第４１６９１８３号公報
【発明の概要】
【発明が解決しようとする課題】
【０００９】
特許文献１では、フィルム搬送方向における上流側にピンを配置し、下流側にクランパを配置しているため、フィルム搬送方向におけるクリップの長さが長くなり、隣り合うピン間及びクランパ間が広くなる。この隣り合うピン間及びクランパ間では、フィルムは把持されていないため、把持された部分に比べて延伸量が小さくなり延伸ムラが発生する。このため、所望する光学特性を均一に得ることができないという問題があった。
【００１０】
また、クリップを例えば水平面内で移動及び回転することでフィルムの搬送及び延伸を行っているが、ピンはフィルムを貫通しているため、ピンによる把持を開放するためには、ピンをピン突出方向に移動してフィルムからピンを抜く必要がある。このため、両者を同時に満足させる横回転機構と縦回転機構との両方を設けると、装置構造が複雑になり、さらには大型化するという問題もあった。
【００１１】
本発明は、上記課題を解決するためになされたものであり、大型化を抑制しながらもクリップ及びピンの両方による把持を行うとともに、延伸ムラを防止することができるフィルム保持具及びこれを備えたテンタ装置並びに溶液製膜方法を提供することを目的とする。
【課題を解決するための手段】
【００１２】
上記目的を達成するために、本発明のフィルム保持具は、フィルムの搬送路に沿って配されるレールに移動自在に取り付けられ、フィルムの両側縁部を保持する。このフィルム保持具は、保持ブラケットと、クリップと、ピンユニットとを備える。保持ブラケットは、レールに移動自在に取り付けられる。クリップは、保持ブラケットに固定されるベースと、ベースとの間でフィルムを把持する把持位置及びフィルムを開放する開放位置の間で変位するクランパとを有する。ピンユニットは、クランパに対してフィルム中央側に配され、フィルムを貫通可能な複数のピンと、ピンが取り付けられ、ピンがフィルムを貫通する貫通位置及びピンがフィルムから抜け出る退避位置の間でピンの突出方向に移動自在であり、貫通位置のピンの先端がクリップで把持されるフィルムよりも下方に位置する移動フレームとを有し、ベースに取り付けられる。
【００１３】
なお、移動フレームを退避位置に付勢するバネと、バネの付勢に抗して移動フレームが貫通位置にある状態でピン先端よりも基端側の下方に先端が位置し、移動フレームが退避位置にある状態でピン先端よりも上方に先端が位置してフィルムを受け、ピンをフィルムから抜き出す離脱部と、を備えることが好ましい。離脱部は、ピンよりもフィルム中央側に配されていることが好ましい。
【００１４】
本発明のテンタ装置は、上記フィルム保持具と、レールと、フィルムの両側縁部をクリップ及びピンユニットの一方に位置決めするためにレールをフィルム幅方向に移動するレール移動部と、レール移動部によりフィルムの両側縁部を把持する位置にクリップ及びピンユニットの一方がセットされた状態で、フィルムの把持を開始するフィルム把持開始位置でフィルムを把持し、フィルムの把持を開放するフィルム把持開放位置でフィルムの把持を開放する把持制御部と、を備えることを特徴とする。
【００１５】
また、把持制御部は、フィルム保持具がフィルム把持開始位置にある状態でクランパを把持位置に変位させるクランパクローザと、フィルム保持具がフィルム把持開放位置にある状態でクランパを開放位置に変位させるクランパオープナと、を有することが好ましい。
【００１６】
さらに、把持制御部は、フィルム保持具がフィルム把持開始位置にある状態で移動フレームに接触して貫通位置に上昇させるフレーム上昇部と、レールに沿ってフィルム把持開始位置からフィルム把持開放位置まで設けられ、移動フレームが貫通位置にある状態を維持する上昇維持部と、フィルム保持具がフィルム把持開放位置にある状態で移動フレームを退避位置に下降させるフレーム下降部と、を有することが好ましい。
【００１７】
また、フィルム把持開始位置でフィルムの上面を押えてピンをフィルムに貫通させるピン噛込みブラシを有することが好ましい。
【００１８】
本発明の溶液製膜方法は、ポリマー及び溶媒を含むドープを支持体に向けて流出して、ドープからなる膜を支持体に形成する膜形成工程と、支持体上の膜を冷却固化する冷却固化工程と、支持体から膜を剥ぎ取ってフィルムとする剥取工程と、上記テンタ装置によりフィルムを搬送して乾燥する乾燥工程と、を備えることを特徴とする。
【発明の効果】
【００１９】
本発明によれば、フィルム保持具に、ベースとの間にフィルムを把持するクランパを有するクリップと、フィルムを貫通可能な複数のピンを有するピンユニットとを設けたので、クランパによる把持とピンによる把持とが選択可能になる。これにより、クランパにより把持できない残留溶媒量の多い湿潤フィルムはピンにより把持し、残留溶媒量の少ない乾燥されたフィルムはクランパにより把持することができるので、フィルムの残留溶媒量に左右されずにフィルムを把持することができる。
【００２０】
また、クランパよりもフィルム中央側で、且つクリップで把持されるフィルムよりも下方にピンユニットを設けたので、テンタ装置に搭載した場合の隣り合うクリップ間及びピン間が、クリップとピンとをフィルム搬送方向に並べて配置したものに比べて小さくなる。これにより、把持されていない部分を小さくすることができ、延伸ムラを確実に防止することができる。
【００２１】
さらに、ピンが取り付けられる移動フレームを、ピンがフィルムを貫通する貫通位置と、ピンがフィルムから抜け出る退避位置との間でピンの突出方向に移動自在に設けたので、クリップ及びピンの把持や把持解除を、例えば同じ水平面内での移動及び回転で行うことができる。これにより、ピンを離脱させるためにクリップとは異なる方向にピンを移動及び回転させる機構を設けるものに比べて装置を小型化することができる。
【図面の簡単な説明】
【００２２】
【図１】テンタ装置を示す平面図である。
【図２】フィルム保持具とクランパオープナとを示す正面図である。
【図３】クランパによりポリマーフィルムを把持した状態のフィルム保持具を示す正面図である。
【図４】ピンにより湿潤フィルムを把持した状態のフィルム保持具を示す正面図である。
【図５】移動フレームが退避位置にいるときのフィルム保持具を示す斜視図である。
【図６】移動フレームが貫通位置にいるときのフィルム保持具を示す斜視図である。
【図７】移動フレームとピン板とを示す分解斜視図である。
【図８】移動フレームが退避位置にいるときの移動フレームとピン板と保持シャフトとを示す斜視図である。
【図９】移動フレームが貫通位置にいるときの移動フレームとピン板と保持シャフトとを示す斜視図である。
【図１０】移動フレームとピン板とを示す断面図である。
【図１１】移動フレームが退避位置にいるときの移動フレームとピン板と保持シャフトと移動保持フレームとを示す断面図である。
【図１２】移動フレームが貫通位置にいるときの移動フレームとピン板と保持シャフトと移動保持フレームとを示す断面図である。
【図１３】第１レールとフィルム保持具の主要部とピン噛込みブラシとを示す側面図である。
【図１４】溶液製膜設備の概略図である。
【発明を実施するための形態】
【００２３】
図１に示すように、テンタ装置２は、ポリマーフィルム４の両側縁部をフィルム保持具５で把持してフィルム搬送方向Ａに搬送しながらフィルム幅方向Ｂに延伸する。また、テンタ装置２は、湿潤フィルム３（図２参照）の両側縁部をフィルム保持具５で把持してフィルム搬送方向Ａに搬送しながら乾燥させてポリマーフィルム４にする。
【００２４】
テンタ装置２は、第１レール１１と、第２レール１２と、これらレール１１，１２に案内される第１,第２チェーン（エンドレスチェーン）１３，１４とを備えている。第１,第２チェーン１３,１４には、フィルム保持具５が一定のピッチで多数取り付けられている。このフィルム保持具５は、各フィルム３，４どちらかの側縁部を把持しながら、各レール１１，１２に沿って移動することで、湿潤フィルム３を乾燥、またはポリマーフィルム４をフィルム幅方向Ｂに延伸する。
【００２５】
テンタ装置２は、図示しない乾燥室内に配置されている。乾燥室は、ポリマーフィルム４を延伸する場合、フィルム搬送方向Ａで、例えば予熱ゾーン２ａ、延伸ゾーン２ｂ、延伸緩和ゾーン２ｃに区画される。予熱ゾーン２ａでは、ポリマーフィルム４は例えば８０℃以上２００℃以下で予熱される。この予熱ゾーン２ａでは、一対のクリップ間距離は変化がなく、フィルム保持具５によるフィルム幅方向Ｂでの延伸は行われない。
【００２６】
延伸ゾーン２ｂでは、ポリマーフィルム４は例えば８０℃以上２００℃以下で加熱される。この延伸ゾーン２ｂでは、各レール１１，１２は傾斜しており、一対のクリップ間距離が漸増し、ポリマーフィルム４は、フィルム保持具５によりフィルム幅方向Ｂに延伸される。延伸緩和ゾーン２ｃでは、一対のクリップ間距離は変化がなく、延伸緩和が行われる。なお、延伸倍率は所望の光学特性等に合わせて適宜変更されるものである。
【００２７】
また、湿潤フィルム３を乾燥する場合、テンタ装置２は、予熱ゾーン２ａ、延伸ゾーン２ｂ、延伸緩和ゾーン２ｃに区画されず、全範囲で一対のクリップ間距離は変化がない。このため、フィルム幅方向Ｂでの延伸は自己の収縮によるものを除いては行われない。また、テンタ装置２内は例えば８０℃以上２００℃以下で加熱されており、テンタ装置２内を通った湿潤フィルム３は、乾燥されてポリマーフィルム４になる。本実施形態では、例えば残留溶媒量が５０質量％の湿潤フィルム３を乾燥してポリマーフィルム４にする。
【００２８】
第１,第２チェーン１３,１４は、原動スプロケット２１，２２及び従動スプロケット２３，２４の間に掛け渡されている。これらスプロケット２１〜２４の間では、第１チェーン１３は第１レール１１によって、第２チェーン１４は第２レール１２によって案内される。原動スプロケット２１，２２はテンタ出口２７側に設けられており、これらは図示しない駆動機構により回転駆動され、従動スプロケット２３，２４はテンタ入口２６側に設けられている。
【００２９】
図２に示すように、フィルム保持具５は、ポリマーフィルム４を把持するクリップ３１と、湿潤フィルム３を把持するピンユニット３２とを備える。また、フィルム保持具５は、各レール１１，１２に保持されるレール保持ブラケット３４を備える。
【００３０】
クリップ３１は、クランパ３５と、このクランパ３５を回転自在に支持する略コ字形状のベースフレーム３６とを備える。このベースフレーム３６は、クランパ３５を回動自在に支持する取付軸３６ａと、ポリマーフィルム４の側縁部が載せられるベース３６ｂとを備える。このベース３６ｂは、レール保持ブラケット３４に固定されている。
【００３１】
クランパ３５は、軸部３５ａ（図５参照）と、把持部３５ｂと、頭部３５ｃとを備える。軸部３５ａは、取付軸３６ａに回転自在に取り付けられる。把持部３５ｂは、ベース３６ｂとの間にポリマーフィルム４を把持する。
【００３２】
クランパ３５は、ベース３６ｂとの間にポリマーフィルム４を把持する把持位置（図３参照）と、把持を開放する開放位置（図２）との間で回転変位し、通常は自重により把持位置となる。フィルム把持開始位置ＰＡ（図１参照）では、ベース３６ｂと把持部３５ｂとによりポリマーフィルム４が把持される。なお、クランパ３５として回転変位する揺動タイプを用いたが、この他に、把持部が昇降して把持位置と開放位置に変位するスライドタイプ等などを用いてもよい。
【００３３】
ピンユニット３２は、湿潤フィルム３を貫通可能な複数のピン４１が立設されたピン板４２と、移動フレーム４３と、移動保持フレーム４４とを備える。ピン板４２は、移動フレーム４３に取り付けられている。移動保持フレーム４４は、移動フレーム４３を移動（昇降）自在に保持する。移動保持フレーム４４には、移動フレーム４３を受ける受け部４４ａ，４４ｂ（図１３参照）が形成されている。各受け部４４ａ，４４ｂには、移動フレーム４３を昇降自在に保持する２本の保持シャフト４５ａ，４５ｂが取り付けられている（図１３参照）。なお、ピン４１の形状や数量は適宜変更可能である。
【００３４】
移動フレーム４３には、保持シャフト４５ａ，４５ｂが挿通される挿通孔４３ａ，４３ｂ（図９参照）が形成されている。移動フレーム４３は、ピン４１の突出方向に移動（昇降）自在に設けられ、ピン４１が湿潤フィルム３を貫通する貫通位置（図４及び図６参照）と、ピン４１がポリマーフィルム４から抜け出る退避位置（図３及び図５参照）との間で昇降する。
【００３５】
図２に示すように、移動保持フレーム４４には、第１，第２支持アーム５１，５２が取り付けられている。各支持アーム５１，５２の先端には、離脱ブロック５５が取り付けられている。この離脱ブロック５５は、ピン４１をポリマーフィルム４から引き抜く時にポリマーフィルム４を受けて、ピン４１を離脱させる。
【００３６】
図６に示すように、離脱ブロック５５は、ベース５５ａと、第１，第２連結部５５ｂ，５５ｃとを備える。ベース５５ａは、ピン４１よりもフィルム中央側で湿潤フィルム３を受ける。第１，第２連結部５５ｂ，５５ｃは、ベース５５ａと第１，第２支持アーム５１，５２とを連結する。
【００３７】
図７に示すように、移動フレーム４３には、ピン板４２を受ける受け部４３ｃ，４３ｄが形成されている。これらの受け部４３ｃ，４３ｄには、ビス締め孔４３ｅ，４３ｆが形成されている。ピン板４２には、ビス挿通孔４２ｅ，４２ｆが形成されている。ビス５８，５９は、ビス挿通孔４２ｅ，４２ｆを通してビス締め孔４３ｅ，４３ｆにビス締めされ、図８に示すように、ピン板４２が移動フレーム４３に固定される。なお、図７及び図８においては、第１，第２支持アーム５１，５２、離脱ブロック５５の図示を省略している。
【００３８】
図７に示すように、移動フレーム４３には、支軸６１によりローラ６２が回転自在に取り付けられている。このローラ６２は、移動フレーム４３の下端から突出しており、図１３に示すように、第１，第２レール１１，１２（図２参照）の支持面上を回転しながら移動する。
【００３９】
図９に示すように、移動フレーム４３には、挿通孔４３ａ，４３ｂが形成されている。図１０に示すように、挿通孔４３ａは、上部が大径で下部が小径の段付き状に形成されており、大径部の上端部と小径部とには、それぞれベアリング（図示せず）が取り付けられている。挿通孔４３ｂも挿通孔４３ａと同様に構成される。
【００４０】
図１１に示すように、挿通孔４３ａには、コイルバネ６５が挿入されている。同様に、挿通孔４３ｂにもコイルバネ６５が挿入されている。保持シャフト４５ａは、上部が太径で下部が細径の段付き状に形成されており、細径部は、挿通孔４３ａに挿入されたコイルバネ６５に挿通されている。このコイルバネ６５は、上端が保持シャフト４５ａの段付き部に当接し、下端が挿通孔４３ａの段付き部に当接しており、移動フレーム４３を退避位置に向けて付勢する。保持シャフト４５ｂ（図１３参照）も同様に構成され、挿通孔４３ｂに挿入され、保持シャフト４５ｂが挿通されたコイルバネ６５も、移動フレーム４３を退避位置に向けて下方に付勢する。図１２に示すように、移動フレーム４３が貫通位置に上昇されると、コイルバネ６５は圧縮されてチャージされた状態となる。
【００４１】
図２に示すように、レール保持ブラケット３４は、取付フレーム７０と、この取付フレーム７０に回転可能に取り付けられるガイドローラ７１〜７４とを備える。取付フレーム７０には、第１チェーン１３または第２チェーン１４が取り付けられる。ガイドローラ７１〜７４は、第１レール１１または第２レール１２の支持面に接触して回転する。これにより、各スプロケット２１，２２や各レール１１，１２からレール保持ブラケット３４が脱落することなく、各レール１１，１２に沿って案内される。
【００４２】
図１に示すように、各レール１１，１２は、フィルム搬送方向Ａで複数に分割された分割レール（図示せず）を有する。テンタ装置２には、レール移動部７６（図２参照）が設けられている。このレール移動部７６は、各レール１１，１２の各分割レールをフィルム幅方向Ｂに移動して各レール１１，１２間の幅を変える。なお、レールを分割する構造や、分割レールをフィルム幅に対応させて移動させる機構は、特許第４２８９６１１号公報に記載されたものが用いられる。
【００４３】
図３に示すように、レール移動部７６はポリマーフィルム４が搬送される時には、クランパ３５によりポリマーフィルム４を把持するクランパ把持位置にフィルム保持具５を位置させるように各レール１１，１２を移動する。また、図４に示すように、湿潤フィルム３が搬送される時には、レール移動部７６は、ピン４１により湿潤フィルム３を把持するピン把持位置にフィルム保持具５を位置させるように各レール１１，１２を移動する。なお、図２では、各フィルム３，４の両方を図示しているが、実際には、１つのフィルムのみが選択的に搬送される。
【００４４】
図１及び図２に示すように、各スプロケット２１〜２４に近接して、クランパ３５を開放するためのクランパオープナ７８が配置されている。クランパオープナ７８は、テンタ入口２６の従動スプロケット２３，２４では、フィルム把持開始位置ＰＡの前で、クランパ３５の頭部３５ｃに接触してこれを開放状態にし、ポリマーフィルム４の側縁部の受け入れを可能にする。そして、フィルム把持開始位置ＰＡを通過する時に頭部３５ｃがクランパオープナ７８から離れる。同様にして、テンタ出口２７の原動スプロケット２１，２２では、フィルム把持開放位置ＰＢでクランパオープナ７８によりクランパ３５が開放位置まで回転される。
【００４５】
また、フィルム把持開始位置ＰＡと延伸開始位置ＰＣとの間には、図３に示すように、クランパ３５を閉じる方向に加勢する２個のクランパクローザ７９が設けられている。このクランパクローザ７９は、クランパ３５の頭部３５ｃに接触してこれを閉じる方向に加勢する。クランパクローザ７９は、レール１１に沿って移動するフィルム保持具５のクランパ３５を反時計方向に回転させ、レール１２に沿って移動するフィルム保持具５のクランパ３５を時計方向に回転させ、それぞれクランパ３５を閉じる方向に加勢する。なお、クランパオープナ７８及びクランパクローザ７９は、頭部３５ｃとの接触抵抗を小さく抑えるために、樹脂製のものが好ましく用いられる。樹脂としては、ナイロン、デルリン等が用いられる。
【００４６】
図１に示すように、ポリマーフィルム４を搬送する時には、延伸開始位置ＰＣで延伸が開始され、延伸終了位置ＰＤで延伸が終わる。フィルム把持開始位置ＰＡから延伸開始位置ＰＣまでの予熱ゾーン２ａでは、ポリマーフィルム４は延伸されずに搬送される。さらに、延伸終了位置ＰＤからフィルム把持開放位置ＰＢまでの延伸緩和ゾーン２ｃでも、ポリマーフィルム４は延伸されずに搬送される。
【００４７】
図１３に示すように、第１レール１１には、フレーム上昇部８１と、上昇維持部８２と、フレーム下降部８３とが形成されている。フレーム上昇部８１は、斜面で形成され、フィルム把持開始位置ＰＡの直前で移動フレーム４３に取り付けられたローラ６２に接触して、移動フレーム４３を貫通位置に向けて上昇させ、フィルム把持開始位置ＰＡで移動フレーム４３を貫通位置に上昇させる。上昇維持部８２は、フィルム把持開始位置ＰＡからフィルム把持開放位置ＰＢまで形成され、移動フレーム４３が貫通位置に上昇された状態を維持する。フレーム下降部８３は、斜面で形成され、フィルム把持開放位置ＰＢで移動フレーム４３を退避位置に向けて下降させ、斜面の最下端部では移動フレーム４３を退避位置に下降させる。フレーム上昇部８１及びフレーム下降部８３は、移動フレーム４３を滑らかに上昇及び下降させるように傾斜の緩やかな斜面となっている。第２レール１２も、第１レール１１と同様に、フレーム上昇部８１と、上昇維持部８２と、フレーム下降部８３とが形成されている。
【００４８】
ピン４１を湿潤フィルム３に確実に貫通させるために、湿潤フィルム３の上面は、回転制御されるピン噛込みブラシ８６により押えられている。このピン噛込みブラシ８６は、湿潤フィルム３の上面を押える押え位置と、この押え位置から上方に退避した退避位置との間で移動可能に設けられている。ピン噛込みブラシ８６は、クランパ３５によるポリマーフィルム４の把持時には退避位置にセットされ、この退避位置では、ポリマーフィルム４に接触しない。湿潤フィルム３が搬送される時に、ピン噛込みブラシ８６は押え位置にセットされる。なお、図１３においては、第１，第２支持アーム５１，５２、離脱ブロック５５等の図示を省略している。
【００４９】
次に上記ポリマーフィルム４の製造方法について説明する。ただし、以下に述べる製造方法ならびに製造装置は、本発明の一例であり、これに限定されるものではない。
【００５０】
図１４に示すように、溶液製膜設備１００は、流延室１０２とテンタ装置２と乾燥室１０４と冷却室１０５と巻取室１０６とを有する。
【００５１】
ドープ１０１は、例えばジアセチルセルロースフィルムとしての湿潤フィルム３を製造するためのものであり、ポリマー及び溶媒を含む。このドープ１０１は、図示しないドープ製造装置で製造され、流延ダイ１１１に送られる。
【００５２】
流延室１０２には、流延ダイ１１１、流延ドラム１１２、剥取ローラ１１３、減圧チャンバ１１４が配置されている。流延ドラム１１２は駆動装置（図示せず）により回転されており、この流延ドラム１１２に向けて、流延ダイ１１１からドープ１０１が吐出され、流延ドラム１１２に流延膜１１５が形成される。
【００５３】
流延室１０２は、温調装置（図示せず）によって、流延膜１１５が冷却固化（ゲル化）し易い温度に設定されている。また、流延ドラム１１２内には、冷却媒体が循環されており、流延ドラム１１２が所定の温度に維持される。そして、流延ドラム１１２が約３／４回転する間に、流延膜１１５は冷却固化されて自己支持性を有するゲル強度に達する。剥取ローラ１１３は、流延ドラム１１２上の流延膜１１５を、湿潤フィルム３として剥ぎ取る。
【００５４】
減圧チャンバ１１４は、流延ダイ１１１に対し、ドラム走行方向上流側に配置されており、減圧チャンバ１１４内を負圧に保っている。これにより、流延ビードの背面（後に、流延ドラム１１２に接する面）側を所望の圧力に減圧し、流延ドラム１１２が高速で回転することにより発生する同伴風の影響を少なくしている。
【００５５】
流延室１０２の下流には、渡り部１２１、テンタ装置２が順に配置されている。渡り部１２１は、搬送ローラ１２２によって湿潤フィルム３をテンタ装置２に導入する。
【００５６】
テンタ装置２では、湿潤フィルム３はフィルム把持開始位置ＰＡ（図１参照）に搬送される。図４に示すように、テンタ装置２のレール移動部７６は、ピン４１により把持を行うピン把持位置にフィルム保持具５を位置させるように各レール１１，１２を移動する。
【００５７】
図２に示すように、フィルム保持具５の移動フレーム４３は、フィルム把持開始位置ＰＡの前ではコイルバネ６５により退避位置にセットされている。そして、図４及び図１３に示すように、フィルム把持開始位置ＰＡを通過する時に、移動フレーム４３に取り付けられたローラ６２が、各レール１１，１２に形成されたフレーム上昇部８１上を転がり、コイルバネ６５の付勢に抗して移動フレーム４３が貫通位置まで上昇する。この上昇により、移動フレーム４３に取り付けられたピン板４２のピン４１が湿潤フィルム３を貫通し、湿潤フィルム３の側縁部が把持される。ピン４１を湿潤フィルム３に確実に貫通させるために、湿潤フィルム３の上面は、ピン噛込みブラシ８６により押えられる。貫通位置まで上昇した移動フレーム４３は、各レール１１，１２に形成された上昇維持部８２により、貫通位置が維持される。
【００５８】
ピン４１により把持された湿潤フィルム３は、テンタ装置２内で例えば８０℃以上２００℃以下で加熱されて乾燥され、ポリマーフィルム４になる。
【００５９】
また、フィルム把持開放位置ＰＢでは、移動フレーム４３のローラ６２が、各レール１１，１２に形成されたフレーム下降部８３上を転がり、コイルバネ６５の付勢により、移動フレーム４３が退避位置に下降する（図１３参照）。湿潤フィルム３は、離脱ブロック５５のベース５５ａにより受け止められ、ピン４１が湿潤フィルム３から確実に引き抜かれ、ピン４１による湿潤フィルム３の把持が開放される。
【００６０】
一方、テンタ装置２にポリマーフィルム４が搬送される時には、図３に示すように、レール移動部７６は、クランパ３５により把持を行うクランパ把持位置にフィルム保持具５を位置させるように各レール１１，１２を移動する。
【００６１】
図２に示すように、フィルム保持具５のクランパ３５は、フィルム把持開始位置ＰＡの前でクランパオープナ７８により開放状態にされ、ポリマーフィルム４の側縁部の受け入れが可能となっている。そして、図３に示すように、フィルム把持開始位置ＰＡを通過する時にクランパ３５の頭部３５ｃがクランパオープナ７８から離れ、クランパ３５が自重により開放位置から把持位置にセットされる。ポリマーフィルム４が搬送された場合には、ベース３６ｂとクランパ３５の把持部３５ｂとによりポリマーフィルム４の側縁部が把持される。
【００６２】
フィルム把持開始位置ＰＡと延伸開始位置ＰＣとの間では、クランパ３５の頭部３５ｃがクランパクローザ７９に接触し、閉じる方向に加勢される。これにより、ポリマーフィルム４は、クランパ３５により確実に把持される。
【００６３】
図１に示すように、フィルム保持具５により把持されたポリマーフィルム４は、予熱ゾーン２ａ及び延伸ゾーン２ｂで例えば８０℃以上２００℃以下で予熱される、さらに、延伸ゾーン２ｂでは、一対のクリップ間距離が漸増し、ポリマーフィルム４は、フィルム保持具５によりフィルム幅方向Ｂに延伸される。延伸緩和ゾーン２ｃでは、一対のクリップ間距離は変化がなく、延伸緩和が行われる。
【００６４】
図２に示すように、フィルム把持開放位置ＰＢでは、クランパ３５はクランパオープナ７８により開放位置まで回転されて、クランパ３５によるポリマーフィルムの把持が開放される。
【００６５】
このように、クランパ３５による把持とピン４１による把持とを選択可能であるので、クランパ３５により把持できない残留溶媒量の多い湿潤フィルム３はピンにより把持し、残留溶媒量の少ない乾燥されたポリマーフィルム４はクランパ３５により把持することができる。これにより、フィルムの残留溶媒量に左右されずにフィルムを把持することができる。
【００６６】
図１４に示すように、テンタ装置２の下流には耳切装置１２３が設けられている。耳切装置１２３はフィルム両端部の耳を裁断する。この裁断した耳は風送によりクラッシャ１２４に送られて、ここで粉砕され、ドープ等の原料として再利用される。
【００６７】
乾燥室１０４には、複数のローラ１２７が設けられており、これらに各フィルム３，４が巻き掛けられて搬送されることにより乾燥が行われる。乾燥室１０４には吸着回収装置１２８が接続されており、各フィルム３，４から蒸発した溶媒が吸着回収される。
【００６８】
乾燥室１０４の出口側には冷却室１０５が設けられており、この冷却室１０５で各フィルム３，４が室温となるまで冷却される。冷却室１０５の下流には強制除電装置（除電バー）１２９が設けられており、各フィルム３，４が除電される。さらに、強制除電装置１２９の下流側には、ナーリング付与ローラ１３０が設けられており、各フィルム３，４の両側縁部にナーリングが付与される。巻取室１０６には、プレスローラ１３２を有する巻取機１３１が配置されており、各フィルム３，４が巻き芯にロール状に巻き取られる。
【００６９】
テンタ装置２の上流には、巻取室１０６で巻き取ったロール状のポリマーフィルム４がセットされるフィルム巻き戻し機１４０が配されている。このフィルム巻き戻し機１４０にセットされたポリマーフィルム４は、搬送ローラ１４１によりテンタ装置２に送られ、テンタ装置２で延伸される。
【００７０】
なお、本実施形態では、ポリマーとしてセルロースアシレートを用いている。セルロースアシレートとしては、セルローストリアセテート（ＴＡＣ）やジアセチルセルロース（ＤＡＣ）等が挙げられる。
【符号の説明】
【００７１】
２  テンタ装置
３  湿潤フィルム
４  ポリマーフィルム
５  フィルム保持具
１１，１２  第１，第２レール
３１  クリップ
３２  ピンユニット
３４  レール保持ブラケット
３５  クランパ
３６ｂ  ベース
４１  ピン
４２  ピン板
４３  移動フレーム
５５  離脱ブロック
５５ａ  ベース
６５  コイルバネ
７６  レール移動部
８１  フレーム上昇部
８２  上昇維持部
８３  フレーム下降部
【図１】
2016093923.tif 000003
【図２】
2016093923.tif 000004
【図３】
2016093923.tif 000005
【図４】
2016093923.tif 000006
【図５】
2016093923.tif 000007
【図６】
2016093923.tif 000008
【図７】
2016093923.tif 000009
【図８】
2016093923.tif 000010
【図９】
2016093923.tif 000011
【図１０】
2016093923.tif 000012
【図１１】
2016093923.tif 000013
【図１２】
2016093923.tif 000014
【図１３】
2016093923.tif 000015
【図１４】
2016093923.tif 000016